(57)【要約】      （修正有）【課題】プラスチック製パレットが変形、破損することなく安定して載置使用できる棚体、物品収納ラックを提供する。【解決手段】前枠９と、後枠１１と、前枠と後枠のそれぞれの両端を連結する一対の側枠１３とからなる方形の外形を備えると共に、内側に両側枠それぞれの中央位置を連結する横枠１５と、前枠と後枠との中央位置と横枠の中央位置を連結する一対の縦枠１６とが配置され、その上部に方形のパレット３０を載置使用する棚体７において、パレットのコーナー部３２の底面を支持する支持部２０ａ、２１ａ、２２ａ、２３ａを備える。支持部は、外形方形の隅部と、横枠と縦枠が交叉して形成する隅部と、に両端がそれぞれ連結して形成されているのが好ましい。【選択図】図２
0003199483.tif 000002
【実用新案登録請求の範囲】
【請求項１】
平面形状を方形とし、その上部に方形のパレットを載置使用する棚体において、
前記載置されるパレットのコーナー部底面を支持する支持部を備えることを特徴とする棚体。
【請求項２】
前枠及び後枠と、前記前枠と前記後枠とのそれぞれの両端を連結する両側枠と、前記前枠と前記後枠とのそれぞれの中央位置間に配置される縦枠と、前記両側枠それぞれの中央位置間に配置される横枠とからなる方形の棚体において、
前記前枠と前記一方の側枠が形成する隅部とその隅部に相対する前記縦枠と前記横枠とが形成する隅部とを連結する第１の補助枠と、前記前枠と前記他方の側枠が形成する隅部とその隅部に相対する前記縦枠と前記横枠とが形成する隅部とを連結する第２の補助枠と、前記後枠と前記一方の側枠が形成する隅部とその隅部に相対する前記縦枠と前記横枠とが形成する隅部とを連結する第３の補助枠と、前記後枠と前記他方の側枠が形成する隅部とその隅部に相対する前記縦枠と前記横枠とが形成する隅部とを連結する第４の補助枠とを備えることを特徴とする棚体。
【請求項３】
請求項１または２記載の棚体を備える物品収納ラック。
【考案の詳細な説明】
【技術分野】
【０００１】  この考案は、棚体及び物品収納ラックの構造に関する。
【背景技術】
【０００２】  倉庫内等において使用される物品収納ラックには、パレットに載置された状態で各種の収納物品が載置収納される。使用されるパレットは従来木製のものであったが、最近ではプラスチックス製のものが広く用いられている。
【考案の概念】
【考案が解決しようとする課題】
【０００３】  上記プラスチックス製のパレットは、木材製のものに比して腐食しにくいので耐久性に優れるが、物品収納ラックでの棚体上への載置使用に際し、剛性に乏しいので積載荷重を受けることでコーナー部が変形したり、破損したりする問題が発生している。これは、物品収納ラックの棚体にパレットのコーナー部を支持する部分が無いので、コーナー部が下方に若干傾き変位し、これが繰り返されることで発生すると考えられる。
【課題を解決するための手段】
【０００４】  この考案は、プラスチック製パレットが変形、破損することなく安定して載置使用できる棚体、物品収納ラックを提供するように行ったものである。
【０００５】  この考案では、平面形状を方形とし、その上部に方形のパレットを載置使用する棚体において、前記載置されるパレットのコーナー部底面を支持する支持部を備えることを特徴とする棚体を、さらに、前枠及び後枠と、前記前枠と前記後枠とのそれぞれの両端を連結する両側枠と、前記前枠と前記後枠とのそれぞれの中央位置間に配置される縦枠と、前記両側枠それぞれの中央位置間に配置される横枠とからなる方形の棚体において、前記前枠と前記一方の側枠が形成する隅部とその隅部に相対する前記縦枠と前記横枠とが形成する隅部とを連結する第１の補助枠と、前記前枠と前記他方の側枠が形成する隅部とその隅部に相対する前記縦枠と前記横枠とが形成する隅部とを連結する第２の補助枠と、前記後枠と前記一方の側枠が形成する隅部とその隅部に相対する前記縦枠と前記横枠とが形成する隅部とを連結する第３の補助枠と、前記後枠と前記他方の側枠が形成する隅部とその隅部に相対する前記縦枠と前記横枠とが形成する隅部とを連結する第４の補助枠とを備えることを特徴とする棚体を提供する。
【０００６】  上記構成のそれぞれの棚体によれば、載置されるパレットコーナー部の下面が支持部、また、補助枠の端部で支持される。これにより、プラスチックス製のパレットのコーナー部おいて積載荷重がかかる場合も、コーナー部が下方に傾き変位することが防がれ、変形したり、破損したりすることが防止される。この考案の棚体は物品収納ラック等において好適に用いられる。
【考案の効果】
【０００７】  この考案によれば、プラスチック製パレットが変形、破損することなく安定して載置使用できる棚体、物品収納ラックが得られる。
【図面の簡単な説明】
【０００８】
【図１】  この考案の棚体を備える物品収納ラックの実施形態の斜視図
【図２】  この考案の棚体の備える物品収納ラックの棚体部分の平面図
【図３】  この考案の棚体を備える物品収納ラックの他の実施形態の斜視図
【図４】  この考案の棚体単体の実施形態の斜視図
【図５】  この考案の棚体単体の他の実施形態の斜視図
【考案を実施するための形態】
【０００９】  図１はこの考案の棚体を備えるこの考案の物品収納ラックの斜視図、図２は棚体部分の平面図である。
【００１０】  物品収納ラック１は全体が鉄製で、４本の柱体２と、それらの上部を連結する１対の側桟４と後桟５と、一対の積み重ね用桟８と、下部の棚体７とから構成されている。
【００１１】  棚体７は、前枠９と、後枠１１と、前枠９と後枠１１とのそれぞれの両端を連結する一対の側枠１３とからなる方形の外形を備え、その内側に両側枠１３それぞれの中央位置を連結する横枠１５と、前枠９と後枠１１との中央位置と横枠１５の中央位置を連結する一対の縦枠１６とが配置された基本構成を備える。
【００１２】  次に、この考案の棚体７における特徴構成を説明する。前枠９と一方の側枠１３が形成する隅部とその隅部に相対する縦枠１６と横枠１５とが形成する隅部とを連結するように第１の補助枠２０が設けられ、前枠９と他方の側枠１３が形成する隅部とその隅部に相対する縦枠１６と横枠１５とが形成する隅部とを連結するように第２の補助枠２１が設けられ、後枠１１と一方の側枠１３が形成する隅部とその隅部に相対する縦枠１６と横枠１５とが形成する隅部とを連結するように第３の補助枠２２が設けられ、後枠１１と他方の側枠１３が形成する隅部とその隅部に相対する縦枠１６と横枠１５とが形成する隅部とを連結するように第４の補助枠２３とが、それぞれ取り付けられている。
【００１３】  上記のような構成により、プラスチックス製のパレット３０が、図２において点線で示す位置で載置されて後ろ側のコーナー部３２それぞれにおいて積載荷重がかかる場合も、第３の補助枠２２と第４の補助枠２３の端部２２ａ、２３ａがコーナー部３２それぞれの下面に当接して支持するので、コーナー部３２それぞれが下方に傾き変位することが防がれる。パレット３０が棚体７の後寄りに載置された場合は、前側のコーナー部３２それぞれの下面が第１の補助枠２０と第２の補助枠２１との端部２０ａ、２１ａにより当接支持される。また、物品収納ラック１の移動や積み重ねの際にはフォークリフトが使用され、その際には棚体７の下面を一対のフォーク３５が図２において点線で示す位置で保持するが、そのフォーク３５に補助枠２１、２２、２３、２４それぞれが相対して当接することで、フォーク３５による物品収納ラックの移動や積み重ねが安定して行われる。くわえて、それぞれの補助枠２１、２２、２３、２４が「筋交い」機能を果たすことで棚体７の強度が大きくなり、地震時等の揺れや衝撃によっても物品収納ラック１は平面形態が安定しているので荷崩れがなく、また、物品収納ラック１の破損、損傷も回避される。
【００１４】  図３、図４は棚体の他の実施形態を示す。図３に示す棚体４０は、上記実施形態の物品収納ラック１の最上部に載置される状態で用いられるもので、上記実施形態の棚体７と全く同形状となっている。図４に示す棚体５０は、上記実施形態の物品収納ラック１の途中高さに係止取り付けされて用いられるもので、棚体７と同様の基本形状を備えている。図５は物品収納ラックの他の実施形態を示す。この物品収納ラック１００には最上部に上記実施形態の棚体７と同様の基本形状を備える棚体６０が設けられている。これら実施形態の棚体４０、５０、６０は棚体７と同様の作用効果を発揮する。
【符号の説明】
【００１５】  １    物品収納ラック
７    棚体
２０ａ  補助枠の端部（支持部）
２１ａ  補助枠の端部（支持部）
２２ａ  補助枠の端部（支持部）
２３ａ  補助枠の端部（支持部）
３０  パレット
３２  コーナー部
【図１】
0003199483.tif 000003
【図２】
0003199483.tif 000004
【図３】
0003199483.tif 000005
【図４】
0003199483.tif 000006
【図５】
0003199483.tif 000007